(57)【特許請求の範囲】
【請求項１】
便器本体のボウルの排水路に後続してトラップケースが設けられ、該トラップケース内に、前記排水路に接続されて、駆動機構によりほぼ上向きの給水姿勢とほぼ横向きの排水姿勢との間で上下回動されるトラップ部が設けられ、該トラップ部の先端開口の外周には回動軸に連結した支持リングが外方に突出して嵌め込まれたターントラップ式水洗便器において、
前記トラップケースの排水管部は、壁排水型の外部排水管に接続されて、該排水管部の底面は、前記排水路側から前記外部排水管に向かって、下り勾配の傾斜面に形成されているとともに、前記トラップケースと前記排水管部との接合部における上部壁は、前記外部排水管に向かって下り勾配の傾斜面に形成されており、前記排水管部の底面には、前記トラップ部が排水姿勢に下回動したときに、該トラップ部の前記支持リングを落とし込んでトラップ部が排水管部の底面とほぼ平行になる段差部が形成されていることを特徴とするターントラップ式水洗便器。
【請求項２】
前記駆動機構に、スイッチ操作で前記トラップ部を排水姿勢に下回動可能なメンテナンス用制御部が設けられている請求項１に記載のターントラップ式水洗便器。
【発明の詳細な説明】
【技術分野】
【０００１】
本発明は、壁排水型に最適なターントラップ式水洗便器に関する。
【背景技術】
【０００２】
従来、ターントラップ式水洗便器としては、便器本体のボウルの排水路に後続してトラップケースが設けられ、該トラップケース内に、前記排水路に接続されて、駆動機構により自由端側がほぼ上向きの給水姿勢とほぼ下向きの排水姿勢との間で上下回動されるトラップ部が設けられたものがある（特許文献１参照）。
【０００３】
かかるターントラップ式水洗便器は、ロータンクが不要で、節水化・静音化が可能であることから、さらなる普及が有望視されている。
【特許文献１】特開平９−２５６４４７号公報
【発明の開示】
【発明が解決しようとする課題】
【０００４】
しかしながら、前記従来のターントラップ式水洗便器のトラップ部は、ほぼ下向きに下回動されたときに、床排水型の外部排水管に汚水を排水する構造であったために、近年のマンションのように、床排水型の外部排水管に代えて壁排水型の外部排水管を採用する場合には、排水方向が下向きから横向きに変わることで、排水がスムーズになる対策や横向きの排水管部の奥で汚物等が詰まったときの対策などが必要となる。
【０００５】
本発明は、前記問題を解消するためになされたもので、壁排水型の外部排水管であってもスムーズに排水できるターントラップ式水洗便器を提供することを目的とするものである。
【課題を解決するための手段】
【０００６】
前記課題を解決するために、本発明は、便器本体のボウルの排水路に後続してトラップケースが設けられ、該トラップケース内に、前記排水路に接続されて、駆動機構によりほぼ上向きの給水姿勢とほぼ横向きの排水姿勢との間で上下回動されるトラップ部が設けられ、該トラップ部の先端開口の外周には回動軸に連結した支持リングが外方に突出して嵌め込まれたターントラップ式水洗便器において、前記トラップケースの排水管部は、壁排水型の外部排水管に接続されて、該排水管部の底面は、前記排水路側から前記外部排水管に向かって、下り勾配の傾斜面に形成されているとともに、前記トラップケースと前記排水管部との接合部における上部壁は、前記外部排水管に向かって下り勾配の傾斜面に形成されており、前記排水管部の底面には、前記トラップ部が排水姿勢に下回動したときに、該トラップ部の前記支持リングを落とし込んでトラップ部が排水管部の底面とほぼ平行になる段差部が形成されていることを特徴とするターントラップ式水洗便器を提供するものである。
【０００７】
請求項２のように、前記駆動機構に、スイッチ操作で前記トラップ部を排水姿勢に下回動可能なメンテナンス用制御部が設けられている構成とすることが好ましい。
【発明の効果】
【０００８】
本発明によれば、トラップケースの排水管部を壁排水型の外部排水管に接続して、排水管部の底面を排水路側から前記外部排水管に向かって、下り勾配の傾斜面に形成することにより、トラップ部がほぼ横向きに下回動されたときでも、汚水を外部排水管側にスムーズに排水できるようになる。また、トラップケースと排水管との接合部における上部壁に、下り勾配の傾斜面を形成することにより、給水姿勢に上回動しているトラップ部が排水姿勢に下回動するときに、トラップ部から溢れ出る汚水が傾斜面で外部排水管側に誘導されるので、トラップ部からの汚水の排水がスムーズになる。
【０００９】
また、排水管部の底面に段差部を形成することにより、トラップ部が排水姿勢に下回動したときに、外方に突出したトラップ部の支持リングを落とし込むことができるので、トラップ部が排水管部の底面とほぼ平行になって、トラップ部からの汚水の排水がスムーズになる。
【００１０】
請求項２によれば、スイッチ操作でトラップ部を排水姿勢に下回動可能なメンテナンス用制御部を設けることにより、便器洗浄用ブラシ等をほぼ真っ直ぐな状態で、ボウルの排水路からトラップ部を通って排水管部の奥まで突っ込めるので、排水管部の奥に詰まった汚物等を容易に外部排水管側に押し出すことができる。
【発明を実施するための最良の形態】
【００１１】
以下、本発明を実施するための最良の形態について、図面を参照しながら詳細に説明する。
【００１２】
図１は、壁排水型のターントラップ式水洗便器３０の縦断面図であって、便器本体３１は床３２に設置されて、この便器本体３１の上面には開閉自在な蓋３３が取付けられている。
【００１３】
また、壁３４には、上下方向に延在する外部排水管２４が埋設されている。この外部排水管２４は、マンション等では上層階と下層階で共用できる。
【００１４】
前記便器本体３１内にはボウル１１が設けられ、このボウル１１の上部内周囲には、ボウル１１内に洗浄水を供給するためのリム１５が形成されるとともに、このボウル１１の下部には、前記外部排水管２４の方向に横向きの排水路１２が形成されている。
【００１５】
前記便器本体３１内には、前記排水路１２に後続するトラップケース１３が設けられ、このトラップケース１３内には、前記排水路１２に後端開口１８ｃが接続された可撓性のトラップ部１８が設けられている。このトラップ部１８は、例えば蛇腹状のホースで形成されて、後端開口１８ｃ側を支点として、先端開口１８ａ側がほぼ上向きの給水姿勢（実線参照）とほぼ横向きの排水姿勢（二点鎖線参照）との間で上下回動されるようになる。
【００１６】
前記トラップ部１８の先端開口１８ａの外周には、図１および図２からも明らかなように、外方に突出した支持リング１８ｂが嵌め込まれるとともに、前記トラップケース１３の側壁で回動自在に支持した回動軸１９のアーム１９ａを前記支持リング１８ｂに連結して、回動軸１９の回動で支持リング１８ｂとともに先端開口１８ａが上下回動されるようになっている。
【００１７】
前記回動軸１９は電動モータ１４で駆動されるとともに、前記ボウル１１のリム１５に洗浄水を供給する配管に電磁弁１６が設けられて、電動モータ１４と電磁弁１６は、制御装置３５で制御されるようになる。すなわち、用便後にスイッチオンすると、電磁弁１６が開弁されてリム１５からボウル１１内に洗浄水が供給され、その後に電動モータ１４が正転されてトラップ部１８が排水姿勢に下回動されるようになる。また、スイッチオンから所定時間後に、電動モータ１４が逆転されてトラップ部１８が給水姿勢に上回動され、その後に電磁弁１６が閉弁してリム１５からボウル１１内への洗浄水の供給が停止される。
【００１８】
前記トラップケース１３には、排水管部２３が設けられ、この排水管部２３は、前記外部排水管２４に接続されている。この排水管部２３の底面２３ａは、排水路１２側から外部排水管２４に向かって、下り勾配の緩やかな傾斜面に形成されている。この傾斜は、１／５０以上であることが好ましい。
【００１９】
上記のように、壁排水型のターントラップ式水洗便器を構成すれば、トラップケース１３の排水管部２３を壁排水型の外部排水管２４に接続して、排水管部２３の底面２３ａを排水路１２側から外部排水管２４に向かって、下り勾配の傾斜面に形成することにより、トラップ部１８がほぼ横向きの排水姿勢に下回動されたときでも、汚水を外部排水管２４側にスムーズに排水できるようになる。
【００２０】
したがって、床排水型の外部排水管に代えて壁排水型の外部排水管２４を採用する場合に、トラップ部１８の排水方向が横向きになっても、排水がスムーズになる。
【００２１】
図１において、前記排水管部２３の底面２３ａは、排水路１２側から外部排水管２４に向かってフラットに形成したが、図２に示すように、前記トラップ部１８が排水姿勢に下回動したときに、トラップ部１８の先端開口（自由端側）１８ａの支持リング（凸部分）１８ｂを落とし込む段差部２５を形成することが好ましい。
【００２２】
すなわち、トラップ部１８の支持リング１８ｂがフラットな排水管部２３の底面２３ａに当接すると、先端開口１８ａが上向きに湾曲して、トラップ部１８からの汚水の排水がスムーズでなくなるおそれがある。そこで、外方に突出した支持リング１８ｂを段差部２５に落とし込むことで、トラップ部１８が排水管部２３の底面２３ａとほぼ平行になって、トラップ部１８からの汚水の排水がスムーズになる。
【００２３】
図１において、前記トラップケース１３と排水管部２３との接合部における上壁部２６は、内方に湾曲した湾曲面２６ａに形成したが、図２に示すように、下り勾配の傾斜面（カット面やアール面）２６ｂに形成することが好ましい。
【００２４】
すなわち、給水姿勢に上回動しているトラップ部１８が排水姿勢に下回動するときに、トラップ部１８の先端開口１８ａから溢れ出る汚水中の汚物等が湾曲面２６ａとの間に詰まると、トラップ部１８の下回動が阻害されて、トラップ部１８からの汚水の排水がスムーズでなくなるおそれがある。そこで、上壁部２６を傾斜面（カット面）２６ｂに形成することで、トラップ部１８の先端開口１８ａから溢れ出る汚水中の固形分が傾斜面２６ｂで外部排水管２４側に誘導されるので、トラップ部１８からの汚水の排水がスムーズになる。
【００２５】
図３に示すように、壁排水型のターントラップ式水洗便器において、横向きの排水管部２３の奥で汚物等２７が詰まったような場合に、トラップ部１８が給水姿勢に上回動していると、可撓性の便器洗浄用ブラシ等１７であったとしても、排水管部２３の奥まで届かない。
【００２６】
そこで、前記制御装置３５に、スイッチ操作でトラップ部１８を排水姿勢に下回動可能なメンテナンス用制御部３５ａを設けると、便器洗浄用ブラシ等６をほぼ真っ直ぐな状態で、ボウル１１の排水路１２からトラップ部１８を通って排水管部２３の奥まで突っ込めるので、排水管部２３の奥に詰まった汚物等１８を容易に外部排水管２４側に押し出すことができる。なお、スイッチ操作でトラップ部１８を排水姿勢に下回動させた場合、前記メンテナンス用制御部３５ａで、一定時間の経過後にトラップ部１８を上回動させて給水姿勢に自動復帰させる制御を行うことが好ましい。
【図面の簡単な説明】
【００２７】
【図１】壁排水型ターントラップ式水洗便器の縦断面図である。
【図２】変形例の壁排水型ターントラップ式水洗便器の縦断面図である。
【図３】便器洗浄用ブラシ等による洗浄要領を示す壁排水型ターントラップ式水洗便器の縦断面図である。
【符号の説明】
【００２８】
１１  ボウル
１２  排水路
１３  トラップケース
１４  電動モータ
１５  リム
１６  電磁弁
１８  トラップ部
１８ａ  先端開口
１８ｂ  支持リング
１８ｃ  後端開口
１９  回動軸
２３  排水管部
２４  外部排水管
２５  段差部
２６  上壁部
２６ａ  湾曲面
２６ｂ  傾斜面
３０  水洗便器
３１  便器本体
３５  制御装置
３５ａ  メンテナンス制御部
【図１】
0004304461.tif 000002
【図２】
0004304461.tif 000003
【図３】
0004304461.tif 000004